(57)【要約】【課題】複数の枠部材間における光漏れがなく、かつ小径なレンズ鏡筒を提供する。【解決手段】本発明のレンズ鏡筒は、光学系部材を保持し、モータの動力によって光軸方向の長さを伸縮可能なレンズ鏡筒であって、略円筒形状の固定枠と、前記固定枠の内側において前記固定枠に対して光軸周りに回動可能かつ光軸方向に進退移動可能な略円筒形状の回転枠と、前記回転枠の外周面上において、周方向の一部の範囲に設けられたギヤ部と、前記固定枠によって前記光軸と平行な軸周りに回動可能に支持され、前記ギヤ部に噛合し、前記モータの動力を伝達するロングギヤと、前記固定枠に固定され、前記繰り出し状態である場合に前記ギヤ部が存在する範囲の前方側のみにおいて、前記回転枠の外周面に摺接する摺接片と、を具備する。【選択図】図６
2013037039.tif 000002
【特許請求の範囲】
【請求項１】
光学系部材を保持し、モータの動力によって光軸方向の長さを伸縮可能なレンズ鏡筒であって、
略円筒形状の固定枠と、
前記固定枠の内側において前記固定枠に対して光軸周りに回動可能かつ光軸方向に進退移動可能な略円筒形状の回転枠と、
前記回転枠の外周面上において、周方向の一部の範囲に設けられたギヤ部と、
前記固定枠によって前記光軸と平行な軸周りに回動可能に支持され、前記ギヤ部に噛合し、前記モータの動力を伝達するロングギヤと、
前記固定枠に固定され、前記繰り出し状態である場合に前記ギヤ部が存在する範囲の前方側のみにおいて、前記回転枠の外周面に摺接する摺接片と、
を具備することを特徴とするレンズ鏡筒。
【請求項２】
撮像装置に装着または内蔵されるレンズ鏡筒であって、
前記ギヤ部は、前記繰り出し状態である場合において、光軸よりも正立状態の前記撮像装置の下方となる位置に設けられていることを特徴とする請求項１に記載のレンズ鏡筒。
【請求項３】
請求項１または２に記載のレンズ鏡筒を装着可能または具備する撮像装置。
【発明の詳細な説明】
【技術分野】
【０００１】
本発明は、光軸方向に相対的に移動する複数の枠部材を有し伸縮可能なレンズ鏡筒に関する。
【背景技術】
【０００２】
レンズ等の光学系部材を保持するレンズ鏡筒には、複数の略円筒形状の枠部材が光軸方向に相対的に移動することによって光軸方向に伸縮する形態を有するものがある。このようなレンズ鏡筒の伸縮は、例えば、焦点距離の変更機能（変倍機能、ズーム機能）や沈胴機能を実現するために行われる。
【０００３】
伸縮可能なレンズ鏡筒では、複数の枠部材の間に隙間が存在することから、隙間からレンズ鏡筒内に光が入り込む光漏れが生じ、光学系部材による結像に悪影響を及ぼす可能性がある。
【０００４】
そこで、伸縮可能なレンズ鏡筒の複数の枠部材の間における光漏れを防止するために、例えば特開２００７−１８３６８５号公報には、内側の枠部材の外周面に摺接する環状の遮光部材を外側の枠部材に固定し、両枠部材の間への光の入り込みを防止する技術が開示されている。
【０００５】
また、伸縮可能なレンズ鏡筒の複数の枠部材の間における光漏れを防止する構成としては、複数の枠部材間に生じる隙間に対して、光軸方向にフランジ部等の他の部材を重なるように配設するいわゆるラビリンス構造によって隙間からの光の入り込みを防止する方法がある。
【先行技術文献】
【特許文献】
【０００６】
【特許文献１】特開２００７−１８３６８５号公報
【発明の概要】
【発明が解決しようとする課題】
【０００７】
特開２００７−１８３６８５号公報に開示されているような、レンズ鏡筒を構成する枠部材の外周面に摺接する環状の遮光部材を用いて光漏れを防止する場合には、例えば枠部材の外周面と遮光部材との間に砂や埃等の硬度の高い異物が入り込んだ状態で伸縮動作を行うと、枠部材の外周部に傷が生じてしまう可能性がある。
【０００８】
また、ラビリンス構造によって光漏れを防止する場合には、例えば枠部材間に生じる隙間に光軸方向に重なるようにフランジ部を径方向内側又は外側に突出させる必要があることから、レンズ鏡筒が大径化してしまう可能性がある。
【０００９】
本発明は、上記問題点に鑑みてなされたものであり、複数の枠部材間における光漏れがなく、かつ小径なレンズ鏡筒及び撮像装置を提供することを目的とする。
【課題を解決するための手段】
【００１０】
本発明のレンズ鏡筒は、光学系部材を保持し、モータの動力によって光軸方向の長さを伸縮可能なレンズ鏡筒であって、略円筒形状の固定枠と、前記固定枠の内側において前記固定枠に対して光軸周りに回動可能かつ光軸方向に進退移動可能な略円筒形状の回転枠と、前記回転枠の外周面上において、周方向の一部の範囲に設けられたギヤ部と、前記固定枠によって前記光軸と平行な軸周りに回動可能に支持され、前記ギヤ部に噛合し、前記モータの動力を伝達するロングギヤと、前記固定枠に固定され、前記繰り出し状態である場合に前記ギヤ部が存在する範囲の前方側のみにおいて、前記回転枠の外周面に摺接する摺接片と、を具備する。また、本発明の撮像装置は、前記レンズ鏡筒を装着可能または具備する。
【発明の効果】
【００１１】
本発明によれば、複数の枠部材間における光漏れがなく、かつ小径なレンズ鏡筒及び撮像装置を実現できる。
【図面の簡単な説明】
【００１２】
【図１】撮像装置を前方側から見た斜視図である。
【図２】テレ端まで繰り出した状態のレンズ鏡筒の断面図である。
【図３】ワイド端まで繰り出した状態のレンズ鏡筒の断面図である。
【図４】沈胴状態にあるレンズ鏡筒の断面図である。
【図５】繰り出し状態にあるレンズ鏡筒の正面図である。
【図６】レンズ鏡筒の分解斜視図である。
【図７】テレ端まで繰り出した状態における、回転枠とロングギヤの位置関係を示す図である。
【図８】ワイド端まで繰り出した状態における、回転枠とロングギヤの位置関係を示す図である。
【図９】沈胴状態における、回転枠とロングギヤの位置関係を示す図である。
【図１０】図２におけるXの部分拡大断面図である。
【図１１】図２におけるXIの部分拡大断面図である。
【図１２】遮光部材の正面図である。
【発明を実施するための形態】
【００１３】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１４】
本発明に係る撮像装置１００は、光学系部材を保持するレンズ鏡筒１及び撮像素子２６を有してなり、光学像を電子的な画像データとして撮像し記録し得るように構成されたものである。なお、撮像装置１００が撮像する画像は、静止画像であってもよいし、動画像であってもよい。
【００１５】
以下の説明において、撮像レンズの光軸を符号Ｏで表すものとする。また、光軸Ｏに沿う方向において、被写体側（物体側）を前側とし、結像側（像側）を後側とする。また、撮像装置１００を、いわゆる正立状態に構えた状態において、鉛直上方を上側とし、下方を下側とする。なお、本実施形態の撮像装置１００における正立状態とは、光軸Ｏを略水平とした場合にレリーズスイッチ１０３が設けられた面が、略鉛直上方を向く姿勢のことを称する。撮像装置の正立状態の定義は、本実施形態に限られるものではない。
【００１６】
さらに、撮像装置１００を正立状態に構えた状態において、被写体側から正面を見たときの左側及び右側を撮像装置１００の左側及び右側と称するものとする。
【００１７】
図１に示すように、本実施形態の撮像装置１００は、略直方体形状の箱型状の筐体１０１を有する。撮像装置１００の各機能を実現するための構成部材は、この筐体１０１内の所定の位置に収容されている。
【００１８】
撮像装置１００の前方側の正面には、詳しくは後述するレンズ鏡筒１及びストロボ発光部１０５が配設されている。レンズ鏡筒１は、光軸Ｏに沿う方向に伸縮可能であり、撮像装置１００の非撮像時には少なくとも一部が撮像装置１００の本体内に収容される、いわゆる沈胴式のレンズ鏡筒の形態を有する。ストロボ発光部１０５は、被写体を照明するための照明光を発するものである。
【００１９】
撮像装置１００の上面には、電源スイッチ１０２、レリーズスイッチ１０３及びズームスイッチ１０４が配設されている。また、図示しないが、撮像装置１００の後方の面には、画像表示装置が配設されている。
【００２０】
また、撮像装置１００の筐体１０１の内部には、撮像装置１００の動作を制御するための電気回路を有する制御部、撮像装置１００に電力を供給するための２次電池が配設されている。
【００２１】
本実施形態のレンズ鏡筒１は、レンズ等からなる光学系部材を保持する複数の枠部材を具備して構成されている。以下の説明において、レンズ鏡筒１が光軸Ｏに沿って前方に伸び、光学系部材を用いた撮像が可能な状態を繰り出し状態と称するものとする。一方、レンズ鏡筒１が光軸Ｏに沿って縮み、レンズ鏡筒１の全長が最も短くなった状態を沈胴状態と称する。また、レンズ鏡筒１における各構成部材の回転方向は、前方側から見た回転方向で表わすものとする。
【００２２】
本実施形態では一例として、レンズ鏡筒１は、焦点距離を変更可能なズームレンズ又はバリフォーカルレンズと称される形態の光学系部材を保持している。レンズ鏡筒１は、繰り出し状態において全長（繰り出し量）を変化させることによって、光学系部材の焦点距離を変化させる。
【００２３】
図２は、光学系部材の焦点距離を最も長くした状態（テレ端）のレンズ鏡筒１の断面図を示しており、図３は、光学系部材の焦点距離を最も短くした状態（ワイド端）のレンズ鏡筒１の断面図を示している。図４は、沈胴状態のレンズ鏡筒１の断面図を示している。
【００２４】
また、図５は、テレ端まで繰り出した状態のレンズ鏡筒１を前方側から見た正面図である。
【００２５】
レンズ鏡筒１が保持する光学系部材は、第１群レンズ２１、第２群レンズ２２、第３群レンズ２３及び第４群レンズ２４からなる４群のレンズによって構成されている。なお、レンズ鏡筒１が保持する光学系部材は、レンズに限られるものではなく、絞り、ＮＤフィルタ等の光学フィルタ、ミラー及びプリズム等を含む形態であってもよい。
【００２６】
レンズ鏡筒１は、第１群レンズ２１、第２群レンズ２２、第３群レンズ２３及び第４群レンズ２４をそれぞれ保持し、固定枠２に対して移動可能な複数の枠部材を有してなる。第１群レンズ２１、第２群レンズ２２、第３群レンズ２３及び第４群レンズ２４は、それぞれ、第１保持枠１１、第２保持枠１２、第３保持枠１３及び第４保持枠１４によって保持される。
【００２７】
第１保持枠１１、第２保持枠１２、第３保持枠１３及び第４保持枠１４は、基台部である固定枠２に対して光軸Ｏ方向に相対的に進退移動可能である。また、レンズ鏡筒１は、図５に示すズームモータ２９の駆動力によって光軸Ｏ周りに回動しながら光軸Ｏ方向に進退移動する回転枠３及びカム枠５と、光軸Ｏ周りの回動を規制された状態で光軸Ｏ方向に進退移動する移動枠４及びガイド枠６と、を具備して構成されている。
【００２８】
固定枠２は、レンズ鏡筒１を撮像装置に固定するために、例えば撮像装置の筐体に固定される部材である。固定枠２は、略筒形状の部材であって、光軸Ｏを中心軸とした円筒面である内周面にカム溝２ａが彫設されている。カム溝２ａは、光軸Ｏに対して斜行するような所定のカムプロファイルを有して設けられている。
【００２９】
固定枠２の前方側端部には、後述する遮光部材４０が固定されている。また、固定枠２の前方側端部の内周部には、周方向全体において径方向内側にフランジ状に突出する後述する凸条部２ｂが設けられている。
【００３０】
また、図５示すように、固定枠２には、フォーカスモータ２８、ロングギヤ３０及びズームモータ２９が配設されている。フォーカスモータ２８は、図示しない動力伝達機構を介して第４保持枠１４を光軸Ｏ方向に進退駆動するためのものである。
【００３１】
ロングギヤ３０は、図６に示すように、回転軸方向に所定の長さを有して延在する平歯車であり、固定枠２によって回転軸が光軸Ｏと平行となるように支持されている。ロングギヤ３０は、固定枠２の内周部に露呈しており、後述する回転枠３の外周部に設けられたギヤ部３ｃに噛合する。ロングギヤ３０は、ズームモータ２９によって回動駆動される。
【００３２】
ロングギヤ３０は、レンズ鏡筒１が撮像装置１００に配設された状態において、正立状態の撮像装置１００を前側から見て光軸Ｏよりも下側となる位置に配設されている。また、本実施形態では、ロングギヤ３０は、正立状態の撮像装置１００を前側から見た場合に、光軸Ｏに対して右側に配設されている。なお、ロングギヤ３０は、正立状態の撮像装置１００を前側から見た場合に、光軸Ｏに対して左側に配設さる形態であってもよい。
【００３３】
また、本実施形態では一例として、固定枠２の後方には、保持板２７を介して例えばＣＣＤ又はＣＭＯＳセンサと称される形態の撮像素子２６が固定されている。撮像素子２６は、光軸Ｏに対して受光面が直交するように固定されている。なお、撮像素子２６は、撮像素子２６を光軸Ｏに対して移動可能に保持する撮像素子シフト機構を介して固定枠２に固定される形態であってもよい。撮像素子シフト機構は、撮像素子２６を光軸Ｏに直交する方向に駆動させる機構を有してなり、撮像時の手振れ等による像の振れを補正するために用いられる。
【００３４】
固定枠２の内側には、略円筒形状の部材である回転枠３が配設されている。回転枠３の後方側端部には、径方向外側に突出するフランジ部３ａが設けられており、このフランジ部３ａの外周面が固定枠２の内周面に対して摺動可能なように所定の隙間を有して嵌合する。回転枠３は、固定枠２に対して光軸Ｏ周りに所定の範囲内で回動可能であり、かつ光軸Ｏ方向に進退可能に配設されている。
【００３５】
回転枠３のフランジ部３ａの外周面には、固定枠２のカム溝２ａに摺動可能に係合するカムフォロア３ｂが設けられている。また、後述するが、回転枠３のフランジ部３ａの一部の範囲Ｇには、ギヤ部３ｃが設けられている。回転枠３は、固定枠２の内側において、ロングギヤ３０によりギヤ部３ｃを介して光軸Ｏ周りに回動駆動される。回転枠３は、光軸Ｏ周りの回動に伴い、カムフォロア３ｂとカム溝２ａとの係合によって光軸Ｏ方向に進退移動する。
【００３６】
本実施形態では一例として、回転枠３は、前方側から見て回転枠３を時計方向に回動することによって、前方側に繰り出される。図７は、回転枠３が時計方向に回動して回動範囲の一方の端部に位置している場合における、回転枠３とロングギヤ３０の位置関係を示している。図７に示すように、回転枠３が時計方向に回動して回動範囲の一方の端部に位置している場合に、レンズ鏡筒１は光学系部材の焦点距離が最も長くなるテレ端（図２）の状態となる。また、図８は、図７に示すテレ端の状態から回転枠３が反時計方向に回動し、光学系部材の焦点距離が最も短いワイド端である場合（図３）における、回転枠３とロングギヤ３０の位置関係を示している。また、図９は、回転枠３が図８の状態からさらに反時計方向に回動して回動範囲の他方の端部に位置している場合における、回転枠３とロングギヤ３０の位置関係を示している。図９に示すように、回転枠３が反時計方向に回動して回動範囲の他方の端部に位置している場合に、レンズ鏡筒１は沈胴状態（図４）の状態となる。なお、回転枠３を沈胴状態から繰り出す場合の回動方向は、本実施形態の時計方向に限られるものではなく、反時計方向であってもよい。
【００３７】
ギヤ部３ｃは、図７から図９の正面図に示すように、回転枠３が回動可能な回動範囲内において常にロングギヤ３０と噛合するように、フランジ部３ａの周方向の一部の範囲Ｇを切り欠いた位置に設けられている。言い換えれば、フランジ部３ａは、ギヤ部３ｃが設けられた範囲Ｇを除いた範囲に設けられている。
【００３８】
ギヤ部３ｃが設けられる範囲Ｇは、少なくともレンズ鏡筒１が繰り出し状態である場合に、正立状態の撮像装置１００を前側から見て光軸Ｏよりも下側となる位置に設定されている。すなわち本実施形態では、レンズ鏡筒１がテレ端からワイド端の間に繰り出されており撮像装置１００が撮像動作可能な状態にある場合には、回転枠３のギヤ部３ｃは、正立状態の撮像装置１００を前側から見て光軸Ｏよりも下側に位置する。
【００３９】
ここで、図７及び図８に示すように、レンズ鏡筒１が繰り出し状態である場合において、ギヤ部３ｃが位置し得る光軸Ｏを中心とした周方向の角度範囲を、ギヤ部存在範囲Ｒｇと称するものとする。ギヤ部存在範囲Ｒｇは、正立状態の撮像装置１００を前側から見て光軸Ｏよりも下側に位置する。ギヤ部３ｃの歯底径（ギヤ部３ｃの谷部の径）は、フランジ部３ａの外径よりも小さい。
【００４０】
回転枠３の内側には、略円筒形状の部材である移動枠４が配設されている。移動枠４は、回転枠３に対して相対的に光軸Ｏ周りに回動可能であり、かつ基台部２に対する光軸Ｏ周りの回動が規制されている。移動枠４は、回転枠３に対してバヨネット結合しており、基台部２に対して、回転枠３と一体的に光軸Ｏ方向に進退移動可能である。移動枠４の内周面には、カム溝４ａが彫設されている。カム溝４ａは、所定のカムプロファイルを有して設けられている。
【００４１】
移動枠４の内側には、略円筒形状の枠部材であるカム枠５が配設されている。カム枠５は、移動枠４の内周部において、光軸Ｏ周りに回動可能かつ、光軸Ｏに沿って進退可能に配設されている。カム枠５の外周部には、移動枠４のカム溝４ａに摺動可能に係合するカムフォロアが設けられている。
【００４２】
カム枠５の内周面には、カム溝５ａ及び５ｂと、図示しないレンズ退避用カム溝が彫設されている。また、カム枠５の外周面には、カム溝５ｃが彫設されている。カム溝５ａ、５ｂ及び５ｃとレンズ退避用カム溝は、それぞれ所定のカムプロファイルを有して設けられている。
【００４３】
カム枠５は、ズームモータ２９の駆動力によって、回転枠３と共に移動枠４に対して相対的に光軸Ｏ周りに回動駆動される。カム枠５は、カムフォロアと移動枠４のカム溝４ａとの係合によって、光軸Ｏ周りの回動に伴って光軸Ｏに沿って進退移動する。
【００４４】
また、移動枠４の内側であって、かつカム枠５の外側には、略円筒形状のガイド枠６が配設されている。ガイド枠６は、光軸Ｏ周りの回動が規制された状態で、カム枠５とともに光軸Ｏに沿って進退移動する。
【００４５】
ガイド枠６の内側であって、かつカム枠５の外側には、第１保持枠１１が配設されている。第１保持枠１１は、レンズ鏡筒１が保持する光学系部材のうちの最も前方に位置する第１群レンズ２１を、光軸Ｏ上に保持する略円筒形状の枠部材である。第１保持枠１１は、カム枠５の外側に所定の隙間を有して嵌合している。第１保持枠１１は、ガイド枠６によって光軸Ｏ周りの回動を規制され、かつカム枠５に対して相対的に光軸Ｏに沿って進退移動可能に配設されている。すなわち、第１保持枠１１は、固定枠２に対して、光軸Ｏに沿って相対的に前後方向に進退移動可能である。
【００４６】
第１保持枠１１の内周面には、カム枠５のカム溝５ｃに摺動可能に係合するカムフォロアが設けられている。第１保持枠１１は、光軸Ｏ周りの回動を規制されていることから、カムフォロアとカム枠５のカム溝５ｃとの係合によって、カム枠５の回動に伴って光軸Ｏ方向に進退移動する。
【００４７】
第２保持枠１２は、第２群レンズ２２を第１群レンズ２１よりも後方において光軸Ｏ上に保持し、カム枠５内にカム枠５の前方から収まる形状を有する枠部材である。第２保持枠１２は、光軸Ｏ周りの回動を規制され、かつカム枠５に対して相対的に光軸Ｏに沿って進退移動可能に配設されている。
【００４８】
第２保持枠１２の外周部には、カム枠５のカム溝５ａに摺動可能に係合するカムフォロアが設けられている。第２保持枠１２は、光軸Ｏ周りの回動を規制されていることから、カムフォロアとカム枠５のカム溝５ａとの係合によって、カム枠５の回動に伴って光軸Ｏに沿って進退移動する。
【００４９】
第３保持枠１３は、レンズ鏡筒１が繰り出し状態である場合に、第３群レンズ２３を第２群レンズ２３よりも後方において光軸Ｏ上に保持する枠部材である。図４に示すように、第３保持枠１３は、レンズ鏡筒１が沈胴状態である場合に、光軸Ｏ上から退避するように配設されている。このように、本実施形態のレンズ鏡筒１は、沈胴状態において第３保持枠１３を光軸Ｏ上から退避させることにより、沈胴状態時において、第２保持枠１２と第４保持枠１４との光軸Ｏ方向の距離を短縮することができ、沈胴状態におけるレンズ鏡筒１の長さを短縮することができる。第３保持枠１３は、直進枠７によって揺動可能に保持されている。
【００５０】
直進枠７は、カム枠５内にカム枠５の後方から収まる形状を有する略円筒形状の枠部材である。直進枠７は、光軸Ｏ周りの回動を規制され、かつカム枠５に対して相対的に光軸Ｏに沿って進退移動可能に配設されている。すなわち、直進枠７は、第１光学系部材保持枠である第１保持枠１１に対して、光軸Ｏに沿って相対的に前後方向に進退移動可能である。
【００５１】
直進枠７の外周面には、カム枠５のカム溝５ｂに摺動可能に係合するカムフォロアが設けられている。直進枠７は、第３保持枠１３の他に、第３保持枠１３の後方にシャッターユニット２５を保持している。シャッターユニット２５は、撮像光路を開閉するためのシャッター機能と、撮像光量の調整を行うための絞り機能を有して構成されている。
【００５２】
第４保持枠１４は、第４群レンズ２４をシャッターユニット２５よりも後方において光軸Ｏ上に保持する枠部材である。第４保持枠１４は、光軸Ｏ周りの回転が規制された状態で光軸Ｏに沿って進退可能に配設されている。第４群レンズ枠１４は、フォーカスモータ２８によって、光軸Ｏ方向に移動するように構成されている。第４群レンズ２４は、いわゆるフォーカシングレンズであって、光学系部材の合焦距離を変化させる場合に、第４保持枠１４は光軸Ｏ方向に進退駆動される。
【００５３】
第１保持枠１１の前方側の端部には、バリア部３１が設けられている。バリア部３１は、第１群レンズ２１よりも前方に配設されている。バリア部３１は、光軸Ｏが通る開口部、該開口部内に進退可能な１つ又は複数の遮蔽部材を具備して構成されている。
【００５４】
バリア部３１は、レンズ鏡筒１が繰り出し状態である場合には、開口部内から遮蔽部材を退避させて第１群レンズ２１の前面を露出させる開放状態となり、レンズ鏡筒１が沈胴状態である場合には、開口部内に遮蔽部材を進出させて第１群レンズ２１の前面を覆う遮蔽状態となる。
【００５５】
次に、本実施形態のレンズ鏡筒１の、固定枠２と回転枠３との間の隙間からレンズ鏡筒１の内部へ光が入り込むこと（光漏れ）を防止する構成について説明する。レンズ鏡筒１における固定枠２と回転枠３との間における光漏れの防止は、図１０の断面図に示すような固定枠２及び回転枠３との重なりによるものと、図１１の断面図に示すような遮光部材４０によるものと、の２つの方法によって実現されている。
【００５６】
図１０の断面図に示すように、固定枠２の前方側端部の内周部には、全周にわたって径方向内側に突出するフランジ状の凸条部２ｂが設けられている。この凸条部２ｂの内径Ｄ２は、回転枠３のフランジ部３ａの外径Ｄ３よりも小さく、かつ回転枠３に接しない値となっている。本実施形態のレンズ鏡筒１では、固定枠２の内周面と回転枠３のフランジ部３ａの外周面との嵌め合いに隙間が設けられているが、前方側から見た場合にこの隙間の光軸Ｏ方向前方側に重なるように、凸条部２ｂが設けられている。
【００５７】
このように、固定枠２と回転枠３との嵌合部に生じる隙間の光軸Ｏ方向前方側に重なる凸条部２ｂが設けられていることによりラビリンス構造が形成され、図１０中に矢印Ｌ１で示すような、固定枠２と回転枠３との嵌合部の隙間における光漏れが防止される。
【００５８】
前述したように、回転枠３のフランジ部３ａの一部の範囲Ｇには、ギヤ部３ｃが設けられている。このため、図１１に示すように、ギヤ部３ｃの歯底（谷部の底）部分では、固定枠２の内周面と回転枠３との間の隙間が大きくなることから凸条部２ｂの回転枠３に対する重なりが無くなる又は不十分なものとなり、矢印Ｌ２で示すような光漏れが生じる可能性がある。
【００５９】
そこで、本実施形態のレンズ鏡筒１には、この回転枠３にギヤ部３ｃが設けられた範囲Ｇにおいて生じ得る光漏れを防止するために、以下に述べる遮光部材４０が配設されている。
【００６０】
遮光部材４０は、図６及び図１２に示すように、略円筒形状の固定枠２の前方側端部に配設される部材であって、固定枠２の前方側端部に接着剤や両面粘着テープ等によって固定される円環状の固定部４０ｂと、固定部４０ｂから径方向内側に延出し回転枠３の外周面の一部に摺接する摺接片４０ａと、を有して構成されている。
【００６１】
遮光部材４０を構成する材料は特に限定されるものではないが、摺接片４０ａが回転枠３の外周面に接した状態でレンズ鏡筒１の繰り出し動作及び繰り込み動作を妨げないように、ゴム等の弾性を有する材料によって構成されている。
【００６２】
図１２に示すように、固定部４０ｂの内径は、固定枠２の前方側端部の内径よりも大きく、固定部４０ｂの外形は、固定枠２の前方側端部の外形よりも小さい。すなわち、固定部４０ｂは、前側から見て固定枠２の前方側端部を投影した領域内に収まる形状を有している。なお、本実施形態の固定部４０ｂは前側から見て環状であるが、固定部４０ｂは円弧状であってもよい。
【００６３】
摺接片４０ａは、光軸Ｏよりも下側となる周方向の所定の範囲Ｒｓ内において径方向内側に延出する、略円弧形状を有する。以下では、摺接片４０ａが設けられる光軸Ｏを中心とした周方向の角度範囲を、摺接片配設範囲Ｒｓと称するものとする。
【００６４】
摺接片配設範囲Ｒｓは、図１０に示すように、正立状態の撮像装置１００を前側から見て光軸Ｏよりも下側であって、かつ、ギヤ部存在範囲Ｒｇと同一またはギヤ部存在範囲Ｒｇよりも広くなるように設定されている。
【００６５】
摺接片４０ａの内径は、回転枠３の外形よりも小さく、少なくともレンズ鏡筒１が繰り出し状態である場合に、図１１の断面図に示すように、弾性変形して撓むことにより、回転枠３の外周面に接するように設定されている。なお、本実施形態では、レンズ鏡筒１が沈胴状態である場合に、回転枠３の前方側端部が固定枠２の前方側端部よりも前方に位置するため、摺接片４０ａは、常に回転枠３の外周面に接する。
【００６６】
以上に説明した構成を有するレンズ鏡筒１では、レンズ鏡筒１が繰り出し状態である場合において、摺接片４０ａが、ギヤ部３ｃの光軸Ｏ方向前方側に常に位置し、かつ回転枠３の外周面に接している。このため、繰り出し状態であるレンズ鏡筒１では、回転枠３のフランジ部３ａの一部に設けられたギヤ部３ｃの歯底部分における、図１１に矢印Ｌ２で示すような固定枠２と回転枠３との間の光漏れが防止される。
【００６７】
以上に説明したように、本実施形態のレンズ鏡筒１では、回転枠３の外周面から径方向外側にフランジ状に突出するフランジ部３ａが、固定枠２の内周面に摺動可能に隙間を有して嵌合しており、レンズ鏡筒１の伸縮動作時には、固定枠２に対して回転枠３が相対的に移動する。回転枠３のフランジ部３ａの一部の範囲Ｇには、フランジ部３ａを切り欠いてギヤ部３ｃが形成されている。言い換えれば、回転枠３の外周部にはギヤ部３ｃと同じ光軸Ｏ方向位置に、固定枠２との嵌合を行うためのフランジ部３ａが設けられている。このように、回転枠３を固定枠２に対して相対的に回転させるためのギヤ部３ｃと、回転枠３を固定枠２内に嵌合させるためのフランジ部３ａを同じ光軸Ｏ方向位置に設けることにより、回転枠３を小型化することができる。
【００６８】
この固定枠２と回転枠３との嵌合部の隙間における光漏れの防止は、固定枠２の先端部から径方向内側にフランジ状に突出する凸条部２ｂが、隙間の前方側に重なるように配設されることによって実現されている。
【００６９】
また、ギヤ部３ｃが形成されている範囲Ｇでは、特にギヤ部３ｃの歯底径がフランジ部３ａの外径よりも小さいことから、凸条部２ｂとの重なりが光漏れを防止するためには不十分となる可能性がある。しかしながら本実施形態では、レンズ鏡筒１が繰り出し状態である場合には、ギヤ部３ｃの前方側において摺接片４０ａが回転枠３の外周面に接しているため、ギヤ部３ｃが設けられた範囲Ｇにおける光漏れも防止される。
【００７０】
例えば、回転枠の外周面上に設けられたギヤ部における光漏れの防止を、ギヤ部と固定枠に設けられた凸条部との重なりによって実現しようとすると、ギヤ部の歯底径を大きくする、もしくは凸条部の内側への突出量を大きくする必要があり、レンズ鏡筒の小径化を阻害してしまう。このような課題に対し、本実施形態のレンズ鏡筒１では、ギヤ部３ｃが存在しない範囲では、回転枠３のフランジ部３ａと固定枠２の凸条部２ｂとの重なりによって回転枠３と固定枠２との間の光漏れを防止し、ギヤ部３ｃが存在する範囲では、摺接片４０ａによって回転枠３と固定枠２との間の光漏れを防止している。
【００７１】
このため、光漏れ防止を目的としてギヤ部３ｃと凸条部２ｂとを光軸Ｏ方向に重なるように配設する必要が無く、ギヤ部３ｃの歯底径を小さくする、もしくは凸条部２ｂの内側への突出量を小さくすることが可能となり、レンズ鏡筒１を小径化することができる。
【００７２】
また例えば、回転枠の外周面全周に摺接する環状の遮光部材を用いて、回転枠と固定枠との間の光漏れを防止する構成では、遮光部材と回転枠との間に砂や埃等の硬度の高い異物が入り込んだ状態で伸縮動作を行うと、回転枠の外周部全周に傷が生じてしまい外観が損なわれる可能性がある。このような課題に対し、本実施形態のレンズ鏡筒１は、撮像装置１００が繰り出し状態である場合にギヤ部３ｃが存在するギヤ部存在範囲Ｒｇのみにおいて、摺接片４０ａが回転枠３の外周面に摺接し、かつギヤ部存在範囲Ｒｇが正立状態の撮像装置１００を前側から見た場合に、光軸Ｏよりも下側となる位置に設定されている。
【００７３】
このため、例えば摺接片４０ａと回転枠３との間に入り込んだ異物によって回転枠３の外周面に傷が生じた場合であっても、傷がつく範囲は一部であり、かつ撮像装置１００の下方側に面した範囲に限られる。したがって、傷が生じることによるレンズ鏡筒１及び撮像装置１００の外観が損なわれる度合いを抑えることができる。
【００７４】
なお、本発明は、上述した実施形態に限られるものではなく、請求の範囲及び明細書全体から読み取れる発明の要旨或いは思想に反しない範囲で適宜変更可能であり、そのような変更を伴うレンズ鏡筒及び撮像装置もまた本発明の技術的範囲に含まれるものである。
【産業上の利用可能性】
【００７５】
本発明に係るレンズ鏡筒を具備する撮像装置は、いわゆるスチルカメラやビデオカメラの形態に限らず、通信機能を備えた携帯電話等の電子機器であってもよい。
【符号の説明】
【００７６】
１    レンズ鏡筒、
２    固定枠、
２ａ    カム溝、
２ｂ    凸条部、
３    回転枠、
３ａ    フランジ部、
３ｂ    カムフォロア、
３ｃ    ギヤ部、
４    移動枠、
４ａ    カム溝、
５    カム枠、
５ａ    カム溝、
５ｂ    カム溝、
５ｃ    カム溝、
６    ガイド枠、
７    直進枠、
１１    第１保持枠、
１２    第２保持枠、
１３    第３保持枠、
１４    第４保持枠、
２１    第１群レンズ、
２２    第２群レンズ、
２３    第３群レンズ、
２４    第４群レンズ、
２５    シャッターユニット、
２６    撮像素子、
２７    保持板、
２８    フォーカスモータ、
２９    ズームモータ、
３０    ロングギヤ、
３１    バリア部、
４０    遮光部材、
４０ａ    摺接片、
４０ｂ    固定部、
Ｒｇ    ギヤ部存在範囲、
Ｒｓ    摺接片配設領域。
【図１】
2013037039.tif 000003
【図２】
2013037039.tif 000004
【図３】
2013037039.tif 000005
【図４】
2013037039.tif 000006
【図５】
2013037039.tif 000007
【図６】
2013037039.tif 000008
【図７】
2013037039.tif 000009
【図８】
2013037039.tif 000010
【図９】
2013037039.tif 000011
【図１０】
2013037039.tif 000012
【図１１】
2013037039.tif 000013
【図１２】
2013037039.tif 000014